(57)【要約】【課題】機器の動作中に不用意に電源を切断されると、重大な障害が発生する場合があり、それを防ぐため、電源スイッチにカバーを掛けたものがある。カバーが閉じられているとき、カバーの一部がフォトカプラの光路を遮っていて、カバー開放を検知したら、警告が発せられるようにしていた。しかし、万一、フォトカプラの故障で発光ダイオードが点灯しなくなっていた場合、カバーが開かれても受光素子への出力が発生しないため、依然カバーが閉じられていると誤判断してしまい、警告が発せられないという危険性があった。【解決手段】スイッチカバー４が開かれたとき、突出部４ｂがフォトカプラ６の光路を遮断する構成とする。故障で発光ダイオードが点灯しなくなっていた場合、スイッチカバー４が閉じていても警告が出るので故障がすぐ分かり、スイッチカバー４が開いているのに閉じていると誤判断することがない。【選択図】　図２
2004087161.tif 000002
【特許請求の範囲】
【請求項１】
機器等の電源の投入切断に用いるスイッチの安全装置であって、長方形の開口を有するスイッチボックスと、上面の中央部を境に投入部と切断部を有し、押下により投入側と切断側に揺動可能な被押圧部材を有する波動スイッチと、前記スイッチボックスの長方形の一辺に平行な方向に回動軸を有し、前記切断部を覆う開閉可能なスイッチカバーと、フォトカプラーを検出部とする前記スイッチカバーの開閉を検知する検知装置と、を有する電源スイッチの安全装置において、前記スイッチカバーに、前記スイッチカバーが閉じられているとき前記フォトカプラーの光路を開放し、前記スイッチカバーの開放により前記フォトカプラーの光路を遮断する遮蔽部を設けたことを特徴とする電源スイッチの安全装置。
【請求項２】
機器等の電源の投入切断に用いるスイッチの安全装置であって、長方形の開口を有するスイッチボックスと、上面の中央部を境に投入部と切断部を有し、押下により投入側と切断側に揺動可能な被押圧部材を有する波動スイッチと、前記スイッチボックスの長方形の一辺に平行な方向に回動軸を有し、前記切断部を覆う開閉可能なスイッチカバーと、反射型フォトカプラーを検出部とする前記スイッチカバーの開閉を検知する検知装置と、を有する電源スイッチの安全装置において、前記スイッチカバーに、前記スイッチカバーが閉じられているとき前記反射型フォトカプラーの反射光路に進入し、前記スイッチカバーの開放により前記反射型フォトカプラーの反射光路から退避する反射部を設けたことを特徴とする電源スイッチの安全装置。
【請求項３】
機器等の電源の投入切断に用いるスイッチの安全装置であって、長方形の開口を有するスイッチボックスと、上面の中央部を境に投入部と切断部を有し、押下により投入側と切断側に揺動可能な被押圧部材を有する波動スイッチと、前記投入部を覆い固定部材と一体になった遮蔽板と、前記スイッチボックスの一辺に平行な方向に回動軸を有し、前記波動スイッチの上面を投入部まで覆う長さの開閉可能なスイッチカバーとを有し、前記遮蔽板の前記投入部の真上に対応する部位に穴が空いており、前記スイッチカバーの裏面に、該スイッチカバーを閉じたとき、前記穴に勘合して前記投入部を押下し得る押下片が設けられていることを特徴とする電源スイッチの安全装置。
【請求項４】
請求項３に記載の電源スイッチの安全装置において、前記遮蔽板に開けられた穴は、スイッチボックスの長手方向もしくは幅方向に長い長穴であることを特徴とする電源スイッチの安全装置。
【請求項５】
請求項４に記載の電源スイッチの安全装置において、前記長穴は一般の筆記用具の先端が深く入り込めないような幅に設定されていることを特徴とする電源スイッチの安全装置。
【請求項６】
請求項３ないし５のいずれか１つに記載の電源スイッチの安全装置において、フォトカプラーを検出部とする前記スイッチカバーの開閉を検知する検知装置を有し、前記スイッチカバーに、前記スイッチカバーが閉じられているとき前記フォトカプラーの光路を開放し、前記スイッチカバーの開放により前記フォトカプラーの光路を遮断する遮蔽部を設けたことを特徴とする電源スイッチの安全装置。
【請求項７】
請求項３ないし５のいずれか１つに記載の電源スイッチの安全装置において、反射型フォトカプラーを検出部とする前記スイッチカバーの開閉を検知する検知装置を有し、前記スイッチカバーに、前記スイッチカバーが閉じられているとき前記反射型フォトカプラーの反射光路に進入し、前記スイッチカバーの開放により前記反射型フォトカプラーの反射光路から退避する反射部を設けたことを特徴とする電源スイッチの安全装置。
【請求項８】
請求項１、２、６および７のいずれか１つに記載の電源スイッチの安全装置において、前記検知装置が前記スイッチカバーの開放を検知したとき、音または表示によってスイッチカバー開放を知らせる警告手段を有することを特徴とする電源スイッチの安全装置。
【請求項９】
請求項１ないし８のいずれか１つに記載の電源スイッチの安全装置において、前記スイッチカバーの開き角度は自閉角度の範囲内になるよう構成され、最大角度に開いたときも手を離せば自重落下によって所定の位置まで閉じることを特徴とする電源スイッチの安全装置。
【請求項１０】
請求項３ないし７のいずれか１つに記載の電源スイッチの安全装置において、前記スイッチカバーを自重で自然落下させたとき、前記押下片が前記投入部に当接しても、その衝撃で前記投入部が押下されない程度に、前記スイッチカバーの重量を軽くしたことを特徴とする電源スイッチの安全装置。
【請求項１１】
請求項１ないし１０のいずれか１つに記載の電源スイッチの安全装置において、前記スイッチカバーの、前記切断部の真上に当たる領域の周囲に薄肉部を形成し、緊急停止用の押しボタン部としたことを特徴とする電源スイッチの安全装置。
【請求項１２】
請求項１ないし１０のいずれか１つに記載の電源スイッチの安全装置において、前記切断部の真上に当たる前記スイッチカバーの領域の周囲に、抜き穴部と薄肉部を交互に形成し、緊急停止用の押しボタン部としたことを特徴とする電源スイッチの安全装置。
【請求項１３】
請求項１１または１２に記載の電源スイッチの安全装置において、前記スイッチカバーの裏側の前記押しボタン部に対応する部分に、突起部を、前記カバーが閉じられたときにも前記切断部に接触しない範囲で突出させたことを特徴とする電源スイッチの安全装置。
【請求項１４】
請求項１３に記載の電源スイッチの安全装置において、前記突起部は円筒型であることを特徴とする電源スイッチの安全装置。
【請求項１５】
請求項１３に記載の電源スイッチの安全装置において、前記突起部は十文字型であることを特徴とする電源スイッチの安全装置。
【請求項１６】
請求項１１ないし１５のいずれか１つに記載の電源スイッチの安全装置において、前記押しボタン部の外形は、円形状であることを特徴とする電源スイッチの安全装置。
【請求項１７】
請求項１１ないし１５のいずれか１つに記載の電源スイッチの安全装置において、前記押しボタン部の外形は、角部を円弧状にしたほぼ正方形状であることを特徴とする電源スイッチの安全装置。
【請求項１８】
請求項１１ないし１７のいずれか１つに記載の電源スイッチの安全装置において、前記薄肉部の断面形状はスイッチカバーの板厚の２分の１以上の深さの半円形の溝であることを特徴とする電源スイッチの安全装置。
【請求項１９】
請求項１１ないし１７のいずれか１つに記載の電源スイッチの安全装置において、前記薄肉部の断面形状はスイッチカバーの板厚の２分の１以上の深さのＶ字形の溝であることを特徴とする電源スイッチの安全装置。
【請求項２０】
請求項１８または１９に記載の電源スイッチの安全装置において、前記薄肉部はスイッチカバーの両面側から近接して２以上の溝が設けられたものであることを特徴とする電源スイッチの安全装置。
【請求項２１】
請求項１ないし１０のいずれか１つに記載の電源スイッチの安全装置において、前記切断部の真上に当たる前記スイッチカバーの領域に、別体で形成したボタンチップを前記スイッチカバーに裏側からはめ込み、上面から強い力で押したとき、前記ボタンチップが前記スイッチカバーから外れて前記切断部を押圧できる構成にしたことを特徴とする電源スイッチの安全装置。
【請求項２２】
請求項１１ないし２１のいずれか１つに記載の電源スイッチの安全装置において、上記領域が緊急停止用押しボタン部であることを明確にした表示を施したことを特徴とする電源スイッチの安全装置。
【請求項２３】
請求項１ないし２２のいずれか１つに記載の電源スイッチの安全装置を備えたことを特徴とする画像形成装置。
【請求項２４】
請求項１ないし２２のいずれか１つに記載の電源スイッチの安全装置を備えたことを特徴とする情報処理装置。
【発明の詳細な説明】
【０００１】
【産業上の利用分野】
本発明は、機器の所定の動作中に電源を切断すると、著しい障害が発生しうる装置における安全装置に関する。そのような装置としては例えばコンピュータなどの情報処理装置、或いは、複写機、ファクシミリ、プリンターなどの画像形成装置がある。
【０００２】
【従来の技術】
複写機に搭載されている画像処理装置が作動中に誤って電源スイッチが切断された場合、画像処理装置に障害が発生する可能性がある。
よって従来のデジタル複写機の電源スイッチにおいては、オペレ−タ−により安易に電源スイッチが切断されることを防止する為、前述の電源スイッチを手動にて切断しようとする場合に、それを妨げるように開閉可能なカバ−（安全装置）が設けられている。
【０００３】
情報処理装置の分野においては、特開平５−６７２２号のように、波動スイッチの切断部を覆う前述の開閉可能なカバ−において、カバ−が開かれたことをフォトカプラによって検出する手段を設け、検出時にオペレ−タ−にむやみに電源スイッチを切断しないように注意を促している。特開昭５９−１１３７２０号においては電源スイッチで直接電源をオン・オフせず、リレ−を介してオン・オフする構成や、ソレノイドにより電源スイッチを機械的にロックする構成を設けている。
【０００４】
【発明が解決しようとする課題】
前記従来技術においては、フォトカプラを用いてカバーの開閉を検出するに当たって、カバーが電源スイッチを覆っている状態では、カバーがフォトカプラの光を遮る構成となっているので、万一、フォトカプラの故障で発光ダイオードが点灯しなくなっていた場合、カバーが開かれても受光素子への出力が発生しないため、依然カバーが閉じられていると誤判断してしまい、警告が発せられないという危険性があった。
【０００５】
従来技術では、電源スイッチの投入はカバーの開閉と直接関係がなかったので、電源が投入された後も閉め忘れにより、カバーが開いたままになっている可能性があった。
電源の切断手順を複雑にすることにより、安易に電源切断ができないようにする効果は得られたが、緊急で停止しなければならないような場合には、複雑な手順がむしろ邪魔になってしまうという問題点が新たに発生する。
本発明は以上のような種々の問題点を解決することを目的とする。
【０００６】
【課題を解決するための手段】
上記の目的を達成するため、請求項１の発明では、機器等の電源の投入切断に用いるスイッチの安全装置であって、長方形の開口を有するスイッチボックスと、上面の中央部を境に投入部と切断部を有し、押下により投入側と切断側に揺動可能な被押圧部材を有する波動スイッチと、前記スイッチボックスの長方形の一辺に平行な方向に回動軸を有し、前記切断部を覆う開閉可能なスイッチカバーと、フォトカプラーを検出部とする前記スイッチカバーの開閉を検知する検知装置と、を有する電源スイッチの安全装置において、前記スイッチカバーに、前記スイッチカバーが閉じられているとき前記フォトカプラーの光路を開放し、前記スイッチカバーの開放により前記フォトカプラーの光路を遮断する遮蔽部を設けたことを特徴とする。
【０００７】
請求項２の発明では、機器等の電源の投入切断に用いるスイッチの安全装置であって、長方形の開口を有するスイッチボックスと、上面の中央部を境に投入部と切断部を有し、押下により投入側と切断側に揺動可能な被押圧部材を有する波動スイッチと、前記スイッチボックスの長方形の一辺に平行な方向に回動軸を有し、前記切断部を覆う開閉可能なスイッチカバーと、反射型フォトカプラーを検出部とする前記スイッチカバーの開閉を検知する検知装置と、を有する電源スイッチの安全装置において、前記スイッチカバーに、前記スイッチカバーが閉じられているとき前記反射型フォトカプラーの反射光路に進入し、前記スイッチカバーの開放により前記反射型フォトカプラーの反射光路から退避する反射部を設けたことを特徴とする。
【０００８】
請求項３の発明では、機器等の電源の投入切断に用いるスイッチの安全装置であって、長方形の開口を有するスイッチボックスと、上面の中央部を境に投入部と切断部を有し、押下により投入側と切断側に揺動可能な被押圧部材を有する波動スイッチと、前記投入部を覆い固定部材と一体になった遮蔽板と、前記スイッチボックスの一辺に平行な方向に回動軸を有し、前記波動スイッチの上面を投入部まで覆う長さの開閉可能なスイッチカバーとを有し、前記遮蔽板の前記投入部の真上に対応する部位に穴が空いており、前記スイッチカバーの裏面に、該スイッチカバーを閉じたとき、前記穴に勘合して前記投入部を押下し得る押下片が設けられていることを特徴とする。
【０００９】
請求項４の発明では、請求項３に記載の電源スイッチの安全装置において、前記遮蔽板に開けられた穴は、スイッチボックスの長手方向もしくは幅方向に長い長穴であることを特徴とする。
請求項５の発明では、請求項４に記載の電源スイッチの安全装置において、前記長穴は一般の筆記用具の先端が深く入り込めないような幅に設定されていることを特徴とする。
【００１０】
請求項６の発明では、請求項３ないし５のいずれか１つに記載の電源スイッチの安全装置において、フォトカプラーを検出部とする前記スイッチカバーの開閉を検知する検知装置を有し、前記スイッチカバーに、前記スイッチカバーが閉じられているとき前記フォトカプラーの光路を開放し、前記スイッチカバーの開放により前記フォトカプラーの光路を遮断する遮蔽部を設けたことを特徴とする。請求項７の発明では、請求項３ないし５のいずれか１つに記載の電源スイッチの安全装置において、反射型フォトカプラーを検出部とする前記スイッチカバーの開閉を検知する検知装置を有し、前記スイッチカバーに、前記スイッチカバーが閉じられているとき前記反射型フォトカプラーの反射光路に進入し、前記スイッチカバーの開放により前記反射型フォトカプラーの反射光路から退避する反射部を設けたことを特徴とする。
【００１１】
請求項８の発明では、請求項１、２、６および７のいずれか１つに記載の電源スイッチの安全装置において、前記検知装置が前記スイッチカバーの開放を検知したとき、音または表示によってスイッチカバー開放を知らせる警告手段を有することを特徴とする。
請求項９の発明では、請求項１ないし８のいずれか１つに記載の電源スイッチの安全装置において、前記スイッチカバーの開き角度は自閉角度の範囲内になるよう構成され、最大角度に開いたときも手を離せば自重落下によって所定の位置まで閉じることを特徴とする。
【００１２】
請求項１０の発明では、請求項３ないし７のいずれか１つに記載の電源スイッチの安全装置において、前記スイッチカバーを自重で自然落下させたとき、前記押下片が前記投入部に当接しても、その衝撃で前記投入部が押下されない程度に、前記スイッチカバーの重量を軽くしたことを特徴とする。
請求項１１の発明では、請求項１ないし１０のいずれか１つに記載の電源スイッチの安全装置において、前記スイッチカバーの、前記切断部の真上に当たる領域の周囲に薄肉部を形成し、緊急停止用の押しボタン部としたことを特徴とする。
【００１３】
請求項１２の発明では、請求項１ないし１０のいずれか１つに記載の電源スイッチの安全装置において、前記切断部の真上に当たる前記スイッチカバーの領域の周囲に、抜き穴部と薄肉部を交互に形成し、緊急停止用の押しボタン部としたことを特徴とする。
請求項１３の発明では、請求項１１または１２に記載の電源スイッチの安全装置において、前記スイッチカバーの裏側の前記押しボタン部に対応する部分に、突起部を、前記カバーが閉じられたときにも前記切断部に接触しない範囲で突出させたことを特徴とする。
【００１４】
請求項１４の発明では、請求項１３に記載の電源スイッチの安全装置において、前記突起部は円筒型であることを特徴とする。
請求項１５の発明では、請求項１３に記載の電源スイッチの安全装置において、前記突起部は十文字型であることを特徴とする。
請求項１６の発明では、請求項１１ないし１５のいずれか１つに記載の電源スイッチの安全装置において、前記押しボタン部の外形は、円形状であることを特徴とする。
【００１５】
請求項１７の発明では、請求項１１ないし１５のいずれか１つに記載の電源スイッチの安全装置において、前記押しボタン部の外形は、角部を円弧状にしたほぼ正方形状であることを特徴とする。
請求項１８の発明では、請求項１１ないし１７のいずれか１つに記載の電源スイッチの安全装置において、前記薄肉部の断面形状はスイッチカバーの板厚の２分の１以上の深さの半円形の溝であることを特徴とする。
【００１６】
請求項１９の発明では、請求項１１ないし１７のいずれか１つに記載の電源スイッチの安全装置において、前記薄肉部の断面形状はスイッチカバーの板厚の２分の１以上の深さのＶ字形の溝であることを特徴とする。
請求項２０の発明では、請求項１８または１９に記載の電源スイッチの安全装置において、前記薄肉部はスイッチカバーの両面側から近接して２以上の溝が設けられたものであることを特徴とする。
【００１７】
請求項２１の発明では、請求項１ないし１０のいずれか１つに記載の電源スイッチの安全装置において、前記切断部の真上に当たる前記スイッチカバーの領域に、別体で形成したボタンチップを前記スイッチカバーに裏側からはめ込み、上面から強い力で押したとき、前記ボタンチップが前記スイッチカバーから外れて前記切断部を押圧できる構成にしたことを特徴とする。
請求項２２の発明では、請求項１１ないし２１のいずれか１つに記載の電源スイッチの安全装置において、上記領域が緊急停止用押しボタン部であることを明確にした表示を施したことを特徴とする
【００１８】
請求項２３の発明では、請求項１ないし２２のいずれか１つに記載の電源スイッチの安全装置を備えた画像形成装置を特徴とする。
請求項２４の発明では、請求項１ないし２２のいずれか１つに記載の電源スイッチの安全装置を備えた情報処理装置を特徴とする。
【００１９】
【実施例】
図１、２は本発明の第１の実施形態を示す図である。図１は斜視図、図２は側断面図である。煩雑さを避けるため、理解の妨げにならない限りにおいて、一部の板厚や隠れ線を省略している。以後の図においても同様である。
図において、符号１は機器本体、２はスイッチボックス、３は波動スイッチ、４はスイッチカバー、５はヒンジ部、６はフォトカプラをそれぞれ示す。
一般に波動スイッチと呼ばれているスイッチは、シーソー型のスイッチで、一方の端の突出部を押下すると、中央部から押した側にある押圧部はほぼ水平になり、他方の端が持ち上がって新たな突出部となり、それを交互に繰り返すことによってスイッチの投入・切断ができるスイッチである。ここで便宜上、スイッチの揺動方向を長手方向と呼び、それに直交する方向を幅方向と呼ぶことにする。
【００２０】
複写機その他の機器１に、スイッチボックス２として落とし込み部が設けられている。スイッチボックス２も通常は、波動スイッチ３の長手方向に長い長方形に構成される。スイッチボックス２のほぼ中央には波動スイッチ３が設けられている。図は波動スイッチ３が投入されている状態を示している。波動スイッチ３の上面を被押圧部と呼ぶことにする。被押圧部のうち、中央部から電源投入側の部分を投入部３ａとし、逆側を切断部３ｂとする。該切断部３ｂに近い側のスイッチボックスの短辺に沿ってそれと平行な、ヒンジ部５による回動軸を有するスイッチカバー４が、前記切断部をほぼ全部覆う位置までの長さで設けられている。スイッチカバー４は、閉じたときスイッチボックス２の底に一部が当接するような折り曲げ部４ａが先端部に設けられている。ただし、折り曲げ部の中央付近は波動スイッチ３に接触しないように切り欠かれている。
【００２１】
スイッチカバー４のヒンジ部５は、スイッチカバー４の両側部に設けられた突出部４ｂに有り、該突出部４ｂはヒンジ部５を超えてさらに長く伸びている。ヒンジ部５はスイッチボックス２の折り曲げ部２ａに設けられた穴に回動可能に取り付けられている。スイッチカバー４を開いたとき、突出部４ｂの一部が、機器の上面のスイッチボックス端部近くに設けた切り欠き部１ａに当接して、それ以上開かないように構成されている。この開き角度は、突出部４ｂを含めたスイッチカバー４の重心が、ヒンジ部５の鉛直上方に達しない範囲の角度にする。
【００２２】
すなわち、スイッチカバーを手で開いたとき、手を離せばスイッチカバーの自重落下で、自然にスイッチカバーが所定の位置まで閉じ、閉め忘れが起こらないようにしてある。このような条件の開き角度を自閉角度と呼ぶことにする。ここでいう所定の位置とは、折り曲げ部４ａの一部がスイッチボックス２の底に当接する位置を言う。
突出部４ｂの一部と切り欠き部１ａを当接させる代わりに、スイッチカバー４のヒンジ側の端部４ｃと、ヒンジ部５近傍の機器１の上面１ｃと、を当接させることによって、前記自閉角度を確保しても良い。
【００２３】
突出部４ｂの近傍には、固定部材にフォトカプラ６が設けられている。フォトカプラ６は、投光部としてのフォトダイオード６ａと、わずかな空間を開けて対向する受光部としてのフォトセンサ６ｂとからなる。機器の電源が投入されている間は常にフォトダイオード６ａは発光している。スイッチカバー４が閉じられているとき、突出部４ｂはフォトカプラ６から離れた位置にあり、フォトセンサ６ｂはフォトダイオード６ａからの光を受光する。スイッチカバー４が開けられたとき、突出部４ｂはヒンジ部５を中心に回動してフォトカプラ６の、フォトダイオード６ａとフォトセンサ６ｂの間に設けられている空間に進入して、フォトダイオード６ａからの光を遮断する。すなわち、突出部４ｂはフォトカプラーの光路を遮断する遮蔽部としての役割を兼ねている。
【００２４】
フォトセンサからの出力信号は、図示しないが一般的によく知られた手段により検知されて、スイッチカバーの開・閉の判定が行われる。機器の電源が投入されているにもかかわらず、スイッチカバーが開かれた場合、電源スイッチが切断される危険性があるので、即座に警告を行う必要がある。警告の方法としては光、音、ディスプレイによる表示等種々の方法があるが、それらを複合して用いる方がより確実である。
【００２５】
図３は本発明を複写機に適用した場合の操作部の１例を示す図である。
図において、符号７は操作部、８は表示部をそれぞれ示す。
図４は図３のＡ部を拡大した図である。
図において符号９はコピースタートキー、１０はコピー可否状態表示部をそれぞれ示す。電源が投入されているときは、通常コピースタートキー９のコピー可否状態表示部１０が緑色に点灯するようになっている。この状態のとき、スイッチカバーが開かれたと判定された場合は、コピー可否状態表示部１０を赤色点灯に変えて、コピー開始ができないようにする。なぜなら、スイッチカバーが開かれたと言うことは、コピー動作中に電源スイッチが遮断される危険性があるからである。このとき警告表示等を行わないのは、コピー開始ができない現状では電源が遮断されても、機器を損傷するような危険性が何もないからである。
【００２６】
コピースタートキー９が押されると、コピー可否状態表示部１０が緑色点灯から赤色点灯に変わり、コピー動作が開始される。この時点でスイッチカバーが開かれたと判定された場合は、表示部８に例えば「ただいまコピー動作中です。電源を切ると重大な障害が発生します。」というような警告を目立つように表示する。このとき警報音を同時に鳴らしても良い。或いは表示に出した内容を、合成音声で伝えても良い。
【００２７】
本発明においてフォトカプラを用いるとき、スイッチカバー４が閉じられているときに、フォトセンサ６ｂがフォトダイオード６ａの光を受光する構成としたのは、万一、フォトダイオードの故障で発光が止まってしまった場合、フォトセンサからの出力が無くなってしまうが、これは、スイッチカバーが開かれたときと同じ信号になる。すなわち、スイッチカバーが開かれていないのに、開かれているときと同じ判定をし、ディスプレイその他を通じて警告がなされることになる。
【００２８】
この構成が逆の場合は、万一、フォトダイオードの故障で発光が止まってしまった場合、フォトセンサからの出力が無くなってしまうが、これは、スイッチカバーが閉じられたときと同じ信号になる。したがって、カバーが開かれても、開かれたことが検知できず、電源スイッチが切断される危険性があるにも拘わらず、何の警告も行われないことになる。
ディスプレイには、スイッチカバーを閉じるように促すメッセージを入れておき、「スイッチカバーが閉じているのにこのメッセージが出たらフォトカプラの異常である」ことが分かるようなメッセージを付け加えておくと良い。
【００２９】
図５は反射型のフォトカプラを用いる場合の１例を示すスイッチカバーの部分図である。
図において符号１１は反射型フォトカプラ、１２は反射部をそれぞれ示す。本発明では、単にフォトカプラと呼ぶときは図１、２に示したような、フォトダイオードとフォトセンサが直接向き合っているタイプのものを指す。
図１、２に示した構成においても、フォトカプラ６の代わりに反射型フォトカプラを用いることはできる。すなわち、突出部４ｂの片面を光の反射部とし、その反射部を光路の一部として用いるように反射型フォトカプラを設ければよい。が、ここでは反射型フォトカプラを別の位置に設ける例を示す。
【００３０】
同図（ａ）のように、スイッチカバー４の先端部の折り曲げ部４ａにさらに折り曲げ部４ｄを設けるか、スイッチカバー４の先端部近傍の側面に折り曲げ部４ｅを設け、その部分の側面を光の反射部１２とする。反射型フォトカプラ１１のフォトダイオード１１ａとフォトセンサ１１ｂは、互いの光軸が数十度ないし９０度くらいの交叉角度を以て配置され、該光軸の交叉位置に、光反射面を置き、該反射面の法線が、前記交叉角度を２等分するように配置されていると、フォトダイオード１１ａからの光は、光反射面で反射された後フォトセンサ１１ｂに入射する。
【００３１】
図５（ａ）、（ｂ）はともにスイッチカバー４が閉じられている状態を示している。このとき、フォトセンサ１１ｂは反射部１２を介してフォトダイオード１１ａからの光を受けており、スイッチカバーが閉じられていると判定している。スイッチカバーが開かれた場合、フォトカプラの前にあった反射部１２がなくなってしまうので、フォトダイオード１１ａからの光はフォトセンサに入らなくなり、図１、２において、突出部４ｂがフォトダイオードの光を遮断したのと同じ状況になる。反射型フォトカプラ１１においても、、スイッチカバー４が閉じられているときに、フォトセンサ１１ｂがフォトダイオード１１ａの光を受光する構成としたのは、前述のフォトカプラ６の場合と同様の理由である。
スイッチカバー４を一定角度開くときの、折り曲げ部４ｄ或いは４ｅの移動量は、突出部４ｂの移動量よりずっと大きい。したがって、図５の構成の方が、スイッチカバーのわずかな動きで開かれたことが検知できる。
【００３２】
図６、７はスイッチカバーの閉め忘れ防止のための実施形態を説明するための図である。図６は斜視図、図７は側断面図である。
図６は電源スイッチが切断された状態を示している。図において、波動スイッチ３の中央部より投入部３ａ側の、スイッチボックス２の上面は、遮蔽部材２ｂで覆われており、投入部３ａの直上にはスイッチボックス２の幅方向に長い長穴２ｃが空いている。遮蔽部材２ｂの先端は折り曲げ部２ｄが、スイッチボックス２の底に達するまで伸びている。ただし、折り曲げ部２ｄの中央部は、波動スイッチ３に接触しないように切り欠き部２ｅが設けられている。スイッチカバー４は、切断部３ｂに近い側のスイッチボックス２の短辺に沿って、それに平行な回動軸を有し、閉じたとき穴２ｃを覆えるだけの長さを有し、その裏面には、穴２ｃに楽に勘合できる大きさの、幅方向に長い突起４ｆを有している。
【００３３】
突起４ｆの高さは、スイッチカバー４を閉じたとき突起４ｆが投入部３ａに接触し、さらにスイッチカバーを押し込んだとき、突起４ｆが投入部３ａを押し込んで、電源を投入し得るだけの高さとする。すなわち、突起４ｆは投入部３ａを押下する押下片としての役割を担っている。ただし、スイッチカバーを自重で自然落下させたとき、突起４ｆが投入部３ａの頂部に当接しても、その衝撃で投入部３ａが押下されない程度に、スイッチカバーの重量を軽くしておく。したがって、スイッチカバーは通常の状態では、突起４ｆが波動スイッチの投入部３ａの頂部に当接した状態で停止している。
【００３４】
図８、９は閉め忘れ防止のための他の実施形態を説明するための図である。図８は斜視図、図９は側断面図をそれぞれ示す。
図６に示した実施形態との違いは、突起４ｆの向きである。図８、９に示す突起４ｆはスイッチボックス２の長手方向に長くしてある。したがって、穴２ｃもスイッチボックス２の長手方向に長い長穴となっている。このようにする理由は、多少の製造誤差や組み付け誤差があっても、突起４ｆは必ず投入部３ａの頂部を押圧することができるからである。また、穴２ｃを細長い穴にする理由は、スイッチカバーの突起４ｆを用いずに、鉛筆、ボールペン、シャープペンシルなど一般の筆記用具の先端でスイッチを押圧することがないよう、それら先端が深く入り込めないようにするためである。
【００３５】
図８、９には突起４ｆのほかに、図６に示した実施形態との違いとして、ヒンジ部５の形状がある。このヒンジ部は図１、２に示した実施形態と同様の構成である。スイッチカバー４が開かれたとき、スイッチカバー４の、ヒンジ部５近傍の突起部４ｂの一部が機器上面の切り欠き部１ａに当接して、所定角度Ａ以上は開かないように構成される。所定角度Ａは前述の通り自閉角度になっている。したがって、スイッチカバー４を故意に手で開いた場合でも、手を離せば自重落下によって所定の位置まで閉じるようになっている。ここでいう所定の位置とは、突起４ｆの最下端が投入部３ａの頂部に接した位置のことである。
【００３６】
スイッチカバー４が開かれたとき、突起部４ｂはフォトカプラ６の光路を遮断するように構成される点も図１、２に示した構成と同様である。なお、フォトカプラ６に代えて、図５（ａ）、（ｂ）に示した反射型フォトカプラ１１を用いる構成にすることもできる。このような構成にすることによって、単に閉め忘れを防止するだけでなく、故意にカバーを開けられたときでも、不用意なスイッチの切断を防止するための警告が出せるようになる。
【００３７】
これまでの説明ではすべて、スイッチボックス２が水平面におかれている場合を想定して説明してきたが、機器の電源スイッチは、傾斜面に置かれている場合や、鉛直な直立面に置かれている場合などがある。角度の緩い傾斜面の場合で、スイッチの幅方向が傾斜方向に向いている場合は、これまで説明してきた構成がそのまま使えるが、スイッチの長手方向が傾斜方向に向いている場合は、斜面の高い側にヒンジを設ける構成にすればよい。ただし、この場合は、斜面の高い側がスイッチの投入側になる可能性が高いので、スイッチカバーのヒンジ部もこれまでの説明とは逆の側に設ける必要がある。
【００３８】
図１０、１１は傾斜面におけるスイッチボックスの実施形態を示す図である。
図において符号１３はストッパピンを示す。
図１０は斜視図、図１１（ａ）は側断面図、図１１（ｂ）は部分図をそれぞれ示す。これらは、図１、２に示した実施形態と同様、切断部３ｂをスイッチカバーで覆う構成である。図において、波動スイッチ３の投入部３ａの側が傾斜面の高い側に置かれている。この実施形態では、ヒンジ部５が波動スイッチ３の中央部近傍に設けられ、スイッチボックス２の短辺に平行な方向に回動軸が向けられている。スイッチカバー４は、スイッチボックスの長手方向の中央部から切断部３ｂの側に向けて開閉可能になっている。
【００３９】
スイッチカバー４の先端はタブ４ｇが設けられており、スイッチカバー４を閉じたとき、タブ４ｇがスイッチボックス２の一端に設けられた受け部２ｆに載って位置が定まるようになっている。
スイッチカバー４の先端近傍の側部には、折り曲げ部４ｅが設けられ、その側面は反射部１２になっている。反射型フォトカプラ１１が反射部１２の有無を検知することによって、スイッチカバー４の開閉を判定する。
【００４０】
図１１（ａ）は自閉角度の規制をしていないが、このままでも、スイッチカバー４を機器１の上面に垂直になるまで開いても、手を離せば自重落下によってスイッチカバーは閉じることができる。しかし、開きすぎれば、スイッチカバー４は反対側に倒れ込んでしまう虞がある。そこで図１１（ｂ）に示すように自閉角度を規制するためのストッパピン１３を設けて、スイッチカバー４のヒンジ近傍の突出部４ｂが、ストッパピン１３に当接して回動範囲を規制する。これによって、自閉角度が確保される。
【００４１】
図１２、１３は傾斜面におけるカバー閉め忘れ防止のための実施形態を示す図である。図１２は斜視図、図１３は側断面図をそれぞれ示す。傾斜面の高い側が電源スイッチの投入部になっている場合、ヒンジ部５は、投入部３ａに近い側のスイッチボックス２の短辺の側に設ける。この場合、スイッチ押圧のための突起４ｆは、スイッチカバー４の長手方向中央部よりヒンジ部５に近い部分に設けられる。自閉角度の規制方法や、スイッチカバー４の開閉検知の方法は、図８、９で説明したのと同様であるので、説明は省略する。
【００４２】
電源スイッチが機器の直立面に設けられている場合について述べる。この場合も通常は波動スイッチの揺動方向が上下方向に置かれているのが普通なので、図１０、１１に示した構成、或いは図１２、１３に示した構成がほぼそのまま使える。ただし、スイッチボックス２が直立面に設けられた場合、スイッチカバーを最大角度に開いた場合でも、スイッチカバーの重心がヒンジ５の直上を通り越す心配がないので、自閉角度の規制のための構成は省略できる。
【００４３】
電源スイッチが機器の直立面に設けられている場合で、波動スイッチの幅方向が鉛直方向に向いている場合、これまで説明してきたような、スイッチボックスの短辺方向に平行にヒンジ５による回動軸を設けたのでは、回動軸が鉛直方向に向くため、自重落下による自閉機能が働かなくなる。
【００４４】
図１４ないし１６は鉛直面に横向きに設けられた電源スイッチに対する実施形態を示す図である。図１４は正面図、図１５はＡＡ矢視の図、図１６は側断面図をそれぞれ示す。図は波動スイッチ３の切断部３ｂを覆うスイッチカバー４を有する構成に対する実施形態である。スイッチカバー４はスイッチボックス２の上側の長辺に沿ってそれに平行にヒンジ部５による回動軸を有し、波動スイッチ３の切断部３ｂの上面のみを覆い、投入部３ａは露出した状態で開閉できるようになっている。
【００４５】
波動スイッチ３のほぼ中央部を横断するように、スイッチカバー４の折り曲げ部４ａが垂れ下がっている。折り曲げ部４ａの先端はスイッチボックス２の底に当接してスイッチカバーが閉じた状態となる。ただし、折り曲げ部４ａは波動スイッチ３に接触しないように中央部が切り欠かれている。
この構成では、図１５で分かるように、スイッチカバー４のヒンジ部５は機器１の上面より中のスイッチボックス側に設けられており、スイッチカバー４の重心は機器１の上面より外にあるので、スイッチカバーの開く角度をどんなに大きくとっても重心がヒンジ５の鉛直上方に至ることはない。したがって、特に自閉角度の規制をしなくても、必ず自閉角度が保証される。
【００４６】
なお、スイッチカバー４が閉じたとき、重心の位置がヒンジ部５より中側に入るようになると、重心がヒンジ部５の鉛直下方に一致するように位置を占めるので、若干開き気味になり、完全な閉じ状態ではなくなる。不用意な電源切断を防止する目的から言えば、これでも実害はないが、スイッチカバーが不安定な状態になるので、これを避けるためには、折り曲げ部４ａをなるべく小さくし、カバー部分の板厚をやや厚めにするとよい。
【００４７】
図１７ないし１９は鉛直面に横向きに設けられた電源スイッチに対する他の実施形態を示す図である。図１７は正面図、図１８はＡＡ矢視の図、図１９は側断面図をそれぞれ示す。
スイッチボックス２の中央部より投入部３ａのある側を、遮蔽部材２ｂで覆って投入部３ａを簡単に押圧できないようにしている。投入部３ａの直上には長手方向に細長い穴２ｃが空いている。図４と同様に、スイッチボックスの上側の長辺に沿ってそれと平行に、ヒンジ部５による回動軸を有するスイッチカバー４が設けられている。遮蔽部材２ｂには、スイッチカバー４の突出部４ｂを受け入れるための切り欠き部が設けられている。
【００４８】
スイッチカバー４は、スイッチボックス２の開口のほぼ全面を覆う大きさに形成されており、裏面には、穴２ｃに緩やかに勘合する突起４ｆが形成されている。スイッチカバー４を最大に開いた状態で手を離すと、スイッチカバー４は自重落下により閉じる方向に回動し、突起４ｆが、穴２ｃに勘合し、突起４ｆの先端が投入部３ａに当接するが、波動スイッチ３を投入するだけの重量がないため、前記当接状態で停止する。
【００４９】
図１４ないし１９に示した実施形態では、スイッチカバー４の開閉を検知する装置は省略されているが、図１、５に示した構成を採用することで、スイッチカバー４の開閉が検知できることは明らかである。
【００５０】
これまで述べたように、本発明では、機器の電源スイッチを１動作では切断できないように構成している。しかしながら、緊急事態で電源スイッチの切断が必要になったとき、２動作以上を必要とする構成では対応が遅れて重大な事故を招く虞がある。そこで、本発明ではそのような場合に備えた構成を提供する。
【００５１】
図２０、２１、２２、２３は緊急時に対応できるスイッチカバーの構成を示す図である。図２０はスイッチカバーの平面図、図２１はスイッチボックスの側断面図、図２２は薄肉部の変形実施例を示す一部拡大断面図、図２３は破断状態の拡大断面図をそれぞれ示す。
図において符号１４は突起部、１５は薄肉部をそれぞれ示す。円筒型の突起部１４は、切断部３ｂの真上にあり、スイッチカバー４が閉じられたときにも切断部３ｂに接触しない範囲でできるだけ高く突出させてある。薄肉部１５は切断部３ｂの上方に、スイッチカバー４を平面図で見たとき円形状に設けられている。この見方の形状を便宜上平面形状と呼ぶことにする。
【００５２】
平面形状を円形状にするのは、緊急停止用の押しボタン部（以下単に押しボタン部という）として最も認識しやすい形状だからであって、他の形状でもかまわない。以後、この薄肉部の平面形状を、押しボタン部の外形と呼ぶことにする。薄肉部の詳細は図２２（ａ）に示すように、板厚の半分以上の深さで断面が半円形の深溝が掘ってある。この円形状薄肉部に囲まれた領域は、緊急停止用の押しボタン部として使用するように、機器の使用者には認識させておくものとする。この領域を強く押すと、図２３に示すように、薄肉部１５が破断して、周囲に破断面１５’を有する破断チップ４’となって突起部１４が破断の勢いで下降し、切断部３ｂを押下する。すなわち、緊急事態のときはスイッチカバー４を開く手順を踏まず、スイッチカバー４の一部破壊を以て、直接切断部３ｂを押下することによって、対応の遅れを回避する。
【００５３】
円筒型の突起１４を設けることにより、押しボタン部近傍の剛性が高くなるので、押しボタンのどの辺りを押しても、撓みによる逃げなどがなく、その力が押しボタンのほぼ全域に伝わり、薄肉部に対して集中的な応力伝達となる。
図２１ではスイッチカバー４の上面に半円形の溝が穿ってあるものとして示しているが、溝は裏側から形成しても、押しボタン部としての機能はほとんど変わらない。
【００５４】
図２２（ｂ）、（ｃ）は薄肉部１５の他の実施形態を示す図である。図２２（ｂ）はスイッチカバー４の表と裏から、同型の半円形の溝が近接して穿たれており、全体として薄肉部を形成する。表と裏の半円形の距離は、両者によって形成される最も薄肉の部分が、半円形単独で形成される薄肉部分と、ほぼ同程度になるように選ぶ。図２２（ｃ）はさらにもう一つの半円形の溝が近接して設けられ、３つの半円が交互に並ぶようにしたものである。それぞれの半円を並べる距離は上記の考え方に基づいて定める。溝の数が多くなる方が、破断のときの抵抗が少なくなる。なお、図２２（ｂ）、（ｃ）は上下を逆にして適用しても、機能はほとんど変わらない。
【００５５】
図２４、２５は突起部の形状の異なる実施形態を説明するための図である。図２４はスイッチカバーの裏面から見た図、図２５は図２４のＡＡ矢視の断面図である。
突起部１４は十文字形状をしている。この形状は、押しボタン部の中央部が強く押されたとき、十文字の４個の先端部１４ａに応力集中が生じ、その近くの薄肉部が非常に破断しやすくなる。１カ所でも破断が生ずれば、連鎖的に破断が進行するので、素早い対応を必要とする緊急用の電源切断に適している。
なお、スイッチカバー４と切断部３ｂの頂点との隙間が小さく設定されている場合は、前記のような突起部１４を設けなくとも、薄肉部１５の破断と同時に、破断によって生じた破断チップ４’が切断部３ｂに当接して押下することができる。
【００５６】
図２６は押しボタン部の外形を異ならせた実施例を説明するための図である。図において押しボタン部の外形は十文字型の突起部１４に合わせて、ほぼ正方形に形成されている。ただし、角部を鋭くすると、非常に弱い力でもすぐ破断が始まってしまう虞があるので角部に限って小さく円弧状にしてある。このような形状にすることによって、応力集中によりさらに破断が生じやすくなり、緊急事態での破断がより簡単になる。
円筒型の突起部１４を用いる場合であっても、押しボタン部の外形を、上記と同様に、角部を丸めたほぼ正方形にしても良い。突起部１４から薄肉部１５までの距離が一定でなく、場所によって異なると、距離の近い薄肉部１５に応力集中が生じて破断が生じやすくなる。
【００５７】
図２７は薄肉部の断面形状の異なる実施例を示す図である。図２６（ａ）はＶ字形の溝によって薄肉部１５を形成している。図２７（ｂ）はスイッチカバー４の表と裏から同型のＶ字形の溝を互いに逆向きに穿って薄肉部１５を形成している。図２７（ｃ）はさらにもう１本Ｖ字形の溝を追加してＶ字を交互に並べたものである。Ｖ字溝の深さは、スイッチカバー４の厚さの２分の１以上とする。表と裏のＶ字形の溝の距離は、両者によって形成される薄肉部が、Ｖ字溝単独によって形成される薄肉部とほぼ同程度になるように選ぶ。いずれも、断面半円形の深溝よりも応力集中が生じやすく、破断の際の抵抗が小さくなる。スイッチカバー４の材質、厚さ等により、最も適した構成を選ぶことができる。説明の都合上、Ｖ字溝を同型として説明したが、実用上は同型にこだわる必要はない。これは半円形の溝についても同じである。また、Ｖ字形の溝と半円形の溝を組み合わせても何ら差し支えはない。
【００５８】
図２８は押しボタン部の周囲の薄肉部の異なる実施形態を示す図である。
図において符号１６は抜き穴部を示す。図２０に示した円形状の薄肉部に対して、本実施形態は、抜き穴部１６で示すように、円形のうちの何カ所かを切り取ってしまう。すなわち抜き穴部と薄肉部が交互に並ぶようにする。図２８の場合は十文字の突起部１４の４個の先端部１４ａに対向する部分を抜き穴部１６としている。こうすると、薄肉部１５の端部１５ａに応力が集中し破断が始まりやすくなる。図では、突起部１４が十文字型の場合を示したが、円筒型であっても十分適用し得る。押しボタン部の外形は図２６に示した、角部を丸めたほぼ正方形状のものも採用しうる。薄肉部の断面形状は、図２２、或いは図２７に示した形状が採用しうる。
【００５９】
図２９、３０はスイッチカバーの破壊を伴わない押しボタンの実施形態を説明するための部分拡大図である。図２９は押しボタンを組み付けた状態の側断面図、図３０はカバー４を裏側から見た図である。
図において、符号１７はボタンチップを示す。ボタンチップ１７はほぼ円筒型であり、上部の周面は傾斜部１７ａを形成し、最大径部１７ｂを有し、そのすぐ下は逆向きの傾斜部１７ｃとなり、最下部１７ｄへ至っている。
スイッチカバー４の、押しボタンを配置すべき領域には、ボタンチップ１７の最大径よりやや小さい穴４ｈが穿たれている。穴４ｈのすぐ下には４本の足部４ｊが設けられている。それぞれの足４ｊは、ボタンチップ１７のの最大径部１７ｂよりやや大きい径に相当する窪み部４ｋが形成されており、そこから下方に向かって縮径方向に上向きの傾斜面４ｍとなり、ボタンチップ１７の最大径部１７ｂよりやや小さい径に相当する突起部４ｎを経て、下向きの傾斜面４ｏを形成して拡開しながら端部４ｐに至る。
【００６０】
スイッチカバー４は合成樹脂等の材料で形成され、足４ｊは多少の撓みに堪えられるようになっている。ボタンチップ１７の傾斜部１７ａの側を、スイッチカバー４の足４ｊの側から押し込むと、足４ｊの下向きの傾斜面４ｏが傾斜部１７ａに押されて足４ｊは外側へ撓み、ボタンチップ１７の最大径部１７ｂが突起部４ｎを通り抜け、最大径部１７ｂは上向きの傾斜面４ｍの領域に入る。足４ｊはボタンチップ１７からの圧力がなくなると撓みがなくなり、材質の持つ弾性力により形状が元に戻る。ボタンチップ１７をそれ以上上方に押し込んでも、傾斜部１７ａが穴４ｈに当接し、それ以上上方には行けなくなる。
【００６１】
結果として、ボタンチップ１７は傾斜部１７ｃが上向きの傾斜面４ｍに当接して安定し、ほとんど動かない状態になる。この状態でボタンチップの上から強く押すと、傾斜部１７ｃが上向きの傾斜面４ｍを押すことによって、足４ｊが外側に撓み、最大径部１７ｂが突起部４ｎを通り抜けることができるようになる。したがって、ボタンチップ１７はスイッチカバー４からの拘束が解かれて下降し、最下部１７ｄが遮断部３ｂを押下する。この構成は、緊急時において押しボタンを押下しても、スイッチカバー４を破壊しないので、緊急処理終了後も、部品交換を必要とせず、機器の使用者が自分で緊急停止用の押しボタンを再生することができる。
足４ｊの撓みに要する力が余り小さいと、ボタンチップ１７が外れやすくなるので、足４ｊの幅や厚さを選んで適度な強さを持たせるようにする。
【００６２】
図３１は押しボタン部に緊急停止の表示をすることを示す図である。
図において、符号１８は表示ラベルを示す。押しボタン部に例えば「緊急停止」のように、緊急に停止したい場合ここを押せばよいことが分かるような表示をする。表示はスイッチカバー４の部品段階で印刷して置いても良いが、鮮やかな赤や、黒と黄色の組合せなど、特に目立つ色で表示したい場合は、むしろ別途印刷したラベル１８を貼り付けるようにした方がよい。図は押しボタン部が円形の場合を示しているが、図２６に示したような正方形に近い形状の領域の場合でも緊急停止の表示は同様に行える。
【００６３】
【発明の効果】
請求項１に記載の発明によれば、切断部を覆うスイッチカバーを開けなければ電源の切断が行えないので、不用意に電源を切断される虞が無く、フォトダイオードの故障の際も、スイッチカバーが閉まっているのに開いていると誤判定するが、スイッチカバーが開けられたのに閉まっていると誤判定をすることがなくなり、機器の安全がよりよく保てる。
【００６４】
請求項２に記載の発明によれば、反射型フォトカプラを用いたので、スイッチカバーの移動量の大きいところに用いることができ、スイッチカバーが開けられたときわずかの動きで検知することができるようになる。
請求項３に記載の発明によれば、スイッチカバーを閉じなければ電源を投入できないので、電源切断側を覆うスイッチカバーの閉め忘れを防ぐことができる。
【００６５】
請求項４ないし５に記載の発明によれば、スイッチカバーを閉じずに電源を投入することができない。
請求項６ないし７に記載の発明によれば、閉め忘れ防止のスイッチカバーであっても、故意に開けられた場合、開けられたことを検知する装置が付加されたので、より安全性が高まった。
【００６６】
請求項８に記載の発明によれば、検知装置による検知結果によって、機器の使用者に警告ないし警報が発せられるので、不用意に電源の切断を行うことがなくなる。
請求項９に記載の発明によれば、機器の使用者が恋にスイッチカバーを開けた場合でも、手を離せば自重落下によってスイッチカバーが閉じるので、うっかり開けっぱなしと言うことがなくなる。
【００６７】
請求項１０に記載の発明によれば、スイッチカバーを最大に開いたまま手を離しても、衝撃によって押下片が投入部を押下してしまうことがない。
請求項１１に記載の発明によれば、緊急時には、スイッチカバーを開けてから電源スイッチを切断するという２動作を必要としないで、即座に電源切断ができるようになる。
【００６８】
請求項１２に記載の発明によれば、予め部分的に抜き穴を作ってあるのでさらに素速い電源切断が期待できる。
請求項１３ないし１５に記載の発明によれば、突起部の存在により、薄肉部に応力集中が生じやすくなり、緊急時の応答遅れが回避できる。
【００６９】
請求項１６ないし１７に記載の発明によれば、緊急停止用の押しボタンとして認識しやすい。
請求項１８ないし２０に記載の発明によれば、押しボタン部の押圧によって薄肉部に応力集中が生じやすくなり、緊急時としての素早い応答に対応しうる。
請求項２１に記載の発明によれば、緊急停止を行うに当たり、スイッチカバーの破壊を伴わないので、機器の使用者が押しボタンの再生をすることができる。
【００７０】
請求項２２に記載の発明によれば、いざというときも、すぐ目に付く表示がしてあるので、迷うことなく緊急停止ができる。
請求項２３に記載の発明によれば、画像形成中に電源遮断されることのない、安全な画像形成装置が得られる。
請求項２４に記載の発明によれば、情報処理中に電源遮断されることのない、安全な情報処理装置が得られる。
【図面の簡単な説明】
【図１】本発明の第１の実施形態を示す斜視図である。
【図２】本発明の第１の実施形態を示す側断面図である。
【図３】本発明を複写機に適用した場合の操作部の１例を示す図である。
【図４】本発明の図３のＡ部を拡大した図である。
【図５】反射方式のフォトカプラを用いる場合の１例を示すスイッチカバーの部分図である。
【図６】スイッチカバーの閉め忘れ防止のための実施形態を説明するための斜視図である。
【図７】スイッチカバーの閉め忘れ防止のための実施形態を説明するための側断面図である。
【図８】閉め忘れ防止のための他の実施形態を説明するための斜視図である。
【図９】閉め忘れ防止のための他の実施形態を説明するための側断面図である。
【図１０】傾斜面におけるスイッチボックスの実施形態を示す斜視図である。
【図１１】傾斜面におけるスイッチボックスの実施形態を示す側断面図である。
【図１２】傾斜面におけるカバー閉め忘れ防止のための実施形態を示す斜視図である。
【図１３】傾斜面におけるカバー閉め忘れ防止のための実施形態を示す側断面図である。
【図１４】鉛直面に横向きに設けられた電源スイッチに対する実施形態を示す正面図である。
【図１５】図１４のＡＡ矢視の図である。
【図１６】鉛直面に横向きに設けられた電源スイッチに対する実施形態を示す側断面図である。
【図１７】鉛直面に横向きに設けられた電源スイッチに対する他の実施形態を示す正面図である。
【図１８】図１７のＡＡ矢視の図である。
【図１９】鉛直面に横向きに設けられた電源スイッチに対する他の実施形態を示す側断面図である。
【図２０】緊急時に対応できるスイッチカバーの構成を示す正面図である。
【図２１】緊急時に対応できるスイッチカバーの構成を示すスイッチボックスの側断面図である。
【図２２】緊急時に対応できるスイッチカバーの薄肉部の変形実施例を示す一部拡大断面図である。
【図２３】緊急時に対応できるスイッチカバーの破断状態の拡大断面図である。
【図２４】突起部の形状の異なる実施形態を説明するためのスイッチカバーの裏面図である。
【図２５】図２４のＡＡ矢視の断面図である。
【図２６】押しボタン部の外形を異ならせた実施例を説明するための図である。
【図２７】薄肉部の断面形状の異なる実施例を示す図である。
【図２８】押しボタン部の周囲の薄肉部の異なる実施形態を示す図である。
【図２９】スイッチカバーの破壊を伴わない押しボタンの組み付けた状態を説明するための部分拡大側断面図である。
【図３０】図２９に示したスイッチカバーを裏側から見た図である。
【図３１】押しボタン部に緊急停止の表示をすることを示す図である。
【符号の説明】
１　　　機器本体
２　　　スイッチボックス
３　　　波動スイッチ
４　　　スイッチカバー
５　　　ヒンジ部
６　　　フォトカプラ
７　　　操作部
８　　　表示部
９　　　コピースタートキー
１０　　　コピー可否状態表示部
１１　　　反射型フォトカプラ
１２　　　反射部
１３　　　ストッパピン
１４　　　突起部
１５　　　薄肉部
１６　　　抜き穴部
１７　　　ボタンチップ
１８　　　表示ラベル
【図１】
2004087161.tif 000003
【図２】
2004087161.tif 000004
【図３】
2004087161.tif 000005
【図４】
2004087161.tif 000006
【図５】
2004087161.tif 000007
【図６】
2004087161.tif 000008
【図７】
2004087161.tif 000009
【図８】
2004087161.tif 000010
【図９】
2004087161.tif 000011
【図１０】
2004087161.tif 000012
【図１１】
2004087161.tif 000013
【図１２】
2004087161.tif 000014
【図１３】
2004087161.tif 000015
【図１４】
2004087161.tif 000016
【図１５】
2004087161.tif 000017
【図１６】
2004087161.tif 000018
【図１７】
2004087161.tif 000019
【図１８】
2004087161.tif 000020
【図１９】
2004087161.tif 000021
【図２０】
2004087161.tif 000022
【図２１】
2004087161.tif 000023
【図２２】
2004087161.tif 000024
【図２３】
2004087161.tif 000025
【図２４】
2004087161.tif 000026
【図２５】
2004087161.tif 000027
【図２６】
2004087161.tif 000028
【図２７】
2004087161.tif 000029
【図２８】
2004087161.tif 000030
【図２９】
2004087161.tif 000031
【図３０】
2004087161.tif 000032
【図３１】
2004087161.tif 000033